(57)【特許請求の範囲】
【請求項１】
コンクリート打設用の型枠（１７）内の所定位置に固定して、この型枠（１７）内にコンクリート（Ｃ）を打設することによって成形するコンクリート構造体の内部の前記所定位置に空洞部を形成する中空型枠において、
横向きに配置された筒状の中空型枠本体（２）に、対向する一対の透孔（１０、１０）を形成し、前記一対の透孔（１０、１０）の一方の透孔（１０）が中空型枠本体（２）の上部、他方の透孔（１０）が中空型枠本体（２）の下部となるように前記型枠（１７）内への前記中空型枠本体（２）の固定がなされるとともに、前記中空型枠本体（２）の内部に、前記対向する一対の透孔（１０、１０）を連通する管状体（３）を設け、前記一対の透孔（１０、１０）に、前記コンクリートを振動させるバイブレータを通すようにしたことを特徴とする中空型枠。
【請求項２】
前記中空型枠本体（２）の上部透孔（１０ａ）に、この上部透孔（１０ａ）を塞ぐ蓋板（１４）を取り外し自在に設けたことを特徴とする請求項１に記載の中空型枠。
【請求項３】
コンクリート打設用の型枠（１７）内の所定位置に固定して、この型枠（１７）内にコンクリート（Ｃ）を打設することによって成形するコンクリート構造体の内部の前記所定位置に空洞部を形成する中空型枠において、
横向きに配置された筒状の中空型枠本体（２）に、対向する一対の透孔（１０、１０）を形成し、前記一対の透孔（１０、１０）の一方の透孔（１０）が中空型枠本体（２）の上部、他方の透孔（１０）が中空型枠本体（２）の下部となるように前記型枠（１７）内への前記中空型枠本体（２）の固定がなされており、前記一対の透孔（１０、１０）に、前記コンクリートを振動させるバイブレータを通すようにし、前記中空型枠本体（２）の上部透孔（１０ａ）に、この上部透孔（１０ａ）を塞ぐ蓋板（１４）を取り外し自在に設けたことを特徴とする中空型枠。
【請求項４】
前記中空型枠本体（２）が、帯状の鋼板を螺旋状に巻き、前記帯状の鋼板の一方の側端部に形成した連結機構（６）と、他方の側端部に形成した連結機構（６）とを連結して円筒状としたスパイラル鋼管であることを特徴とする請求項１〜３のいずれか一つに記載の中空型枠。
【請求項５】
請求項１〜４のいずれか一つに記載の中空型枠（１）が埋設されていることを特徴とするコンクリート構造体。
【請求項６】
コンクリート打設用の型枠（１７）内の所定位置に中空型枠（１）を固定した後に、この型枠（１７）内にコンクリート（Ｃ）を打設し、コンクリート構造体の内部の前記所定位置に空洞部を形成するコンクリート構造体の製造方法において、
中空型枠本体（２）に形成した対向する一対の透孔（１０、１０）の一方の透孔（１０）が中空型枠本体（２）の上部、他方の透孔（１０）が下部となるように前記中空型枠（１）を固定するとともに、前記中空型枠本体（２）の内部に、前記対向する一対の透孔（１０、１０）を連通する管状体（３）を設け、バイブレータ（Ｖ）を、前記中空型枠本体（２）の上部透孔（１０ａ）から前記中空型枠本体（２）の下側に送り込み、前記型枠（１７）内へのコンクリート（Ｃ）打設時に、バイブレータ（Ｖ）で加振することを特徴とするコンクリート構造体の製造方法。
【請求項７】
前記中空型枠本体（２）の上部透孔（１０ａ）に、この上部透孔（１０ａ）を塞ぐ蓋板（１４）を取り外し自在に設けたことを特徴とする請求項６に記載のコンクリート構造体の製造方法。
【請求項８】
コンクリート打設用の型枠（１７）内の所定位置に中空型枠（１）を固定した後に、この型枠（１７）内にコンクリート（Ｃ）を打設し、コンクリート構造体の内部の前記所定位置に空洞部を形成するコンクリート構造体の製造方法において、
中空型枠本体（２）に形成した対向する一対の透孔（１０、１０）の一方の透孔（１０）が中空型枠本体（２）の上部、他方の透孔（１０）が下部となるように前記中空型枠（１）を固定し、バイブレータ（Ｖ）を、前記中空型枠本体（２）の上部透孔（１０ａ）から前記中空型枠本体（２）の下側に送り込み、前記型枠（１７）内へのコンクリート（Ｃ）打設時に、バイブレータ（Ｖ）で加振するようにし、前記中空型枠本体（２）の上部透孔（１０ａ）に、この上部透孔（１０ａ）を塞ぐ蓋板（１４）を取り外し自在に設けたことを特徴とするコンクリート構造体の製造方法。
【請求項９】
前記中空型枠本体（２）が、帯状の鋼板を螺旋状に巻き、前記帯状の鋼板の一方の側端部に形成した連結機構（６）と、他方の側端部に形成した連結機構（６）とを連結して円筒状としたスパイラル鋼管であることを特徴とする請求項６〜８のいずれか一つに記載のコンクリート構造体の製造方法。
【発明の詳細な説明】
【技術分野】
【０００１】
この発明は、コンクリート打設現場において用いられる、コンクリート構造体中に空洞部を形成するための中空型枠、この中空型枠を埋設したコンクリート構造体、及びコンクリート構造体の製造方法に関する。
【背景技術】
【０００２】
コンクリート床板等のコンクリート構造体は、荷重負荷に対する十分な強度と、このコンクリート構造体を使用した建物等の躯体にかかる負荷を軽減するための軽量化の両立が要求される。そこで、下記特許文献１に示すように、このコンクリート構造体内部の所定位置に中空型枠を埋設して、コンクリートの入り込まない空洞部を形成し、コンクリート構造体としての強度を確保しつつ、軽量化の実現を図っている。
【先行技術文献】
【特許文献】
【０００３】
【特許文献１】特開２００２−１３８６６５号公報
【０００４】
前記中空型枠は、コンクリート打設用の型枠内に、この型枠の底面との間に若干の隙間（通常は数ｃｍ〜１０数ｃｍ程度）を確保した状態で固定され、この固定後に、型枠内にコンクリートが打設される。ところが、コンクリートは粘性が高く、中空型枠の下側のように奥まった場所には流れ込みにくいため、コンクリートの充填が不十分な充填不良が生じやすい。この充填不良部は、中空型枠を覆うコンクリートの肉厚（かぶり厚）が不十分なことが多く、構造体に要求される所定強度が得られないことがある。さらに、大気中の二酸化炭素が、薄肉の充填不良部からコンクリート内に徐々に浸透して、打設時にアルカリ性であったコンクリートが中性化し、この中性化した箇所に設けた鉄筋が腐食する中性化現象が生じることもある。
【０００５】
そこで、この充填不良を防ぐため、コンクリートを打設しながらバイブレータで振動を加える工法が採用されることがある。この加振により、コンクリートの流動性が高まることが分かっており、型枠内の隅々まで、スムーズにコンクリートを充填することができるためである。さらに、前記加振の際に、コンクリート中に残留している気泡が排除されて、その充填密度が高まるため、コンクリート構造体の信頼性（強度、耐中性化）がより向上するという効果も期待される。
【発明の概要】
【発明が解決しようとする課題】
【０００６】
上記のように、コンクリートの充填不良は、中空型枠の下側の奥まった場所で特に生じやすく、この場所において、バイブレータによる加振を行うのが効果的である。ところが、コンクリート構造体に用いる中空型枠は大型であることが多く、その下側までバイブレータを送り込むのは非常に煩雑である。しかも、型枠内には通常、鉄筋が縦横に配筋されているため、このバイブレータが途中で前記鉄筋に引っ掛かりやすい。このため、バイブレータを所望の位置に送り込むのには熟練を要する。
【０００７】
そこで、本願発明は、中空型枠を用いたコンクリート構造体のコンクリート打設の際に、中空型枠の下側のコンクリートにバイブレータで効果的に振動を与え、コンクリートの充填を促進することを課題とする。
【課題を解決するための手段】
【０００８】
上記の課題を解決するため、この発明は、コンクリート打設用の型枠内の所定位置に固定して、この型枠内にコンクリートを打設することによって成形するコンクリート構造体の内部の前記所定位置に空洞部を形成する中空型枠において、横向きに配置された筒状の中空型枠本体に、対向する一対の透孔を形成し、前記一対の透孔の一方の透孔が中空型枠本体の上部、他方の透孔が中空型枠本体の下部となるように前記型枠内への前記中空型枠本体の固定がなされており、前記一対の透孔に、前記コンクリートを振動させるバイブレータを通すようにした中空型枠を構成した。
【０００９】
このように、中空型枠本体に一対の透孔を形成したことで、コンクリートを振動させるバイブレータを前記一対の透孔に通して、中空型枠の下側に直接送り込むことができる。すなわち、型枠内に配筋された鉄筋に引っ掛からないように注意しつつ、中空型枠を回避するようにこのバイブレータを送り込む必要がないため、熟練者でなくても、容易にバイブレータによる加振作業を行うことができる。
【００１１】
このコンクリートの打設の際には、前記一対の透孔を通して、前記中空型枠下側のコンクリート充填状態を目視で直接確認できる。そして、打設したコンクリートが下部透孔から盛り上がってこないとき、すなわち、充填不良の場合にのみ、バイブレータによる加振を行うようにすることもできる。
【００１２】
前記構成においては、前記中空型枠本体の内部に、前記対向する一対の透孔を連通する管状体を設ける構成とするのが好ましい。
このように中空型枠本体に貫通して管状体を設けることにより、この管状体が、中空型枠本体を内部から支持する柱の役目を発揮し、この中空型枠本体の剛性を向上させることができる。このため、コンクリートの打設によりこの中空型枠本体に負荷がかかった場合でも、その変形がほとんど生じない。このように中空型枠本体の変形を抑制することにより、コンクリート構造体の内部の所定位置に、所定の大きさの空洞部を、製品ごとのばらつきを生じることなく形成することができる。
【００１３】
前記管状体は、バイブレータをスムーズに通すとともに、上部透孔から下部透孔（中空型枠の下側）を目視で容易に確認できるように、直管状とするのが好ましいが、これらを支障なく行えるのであれば、多少の屈曲は許容される。
【００１４】
コンクリート構造体の軽量化の観点からは、前記管状体の直径をできるだけ細くして、中空型枠の内容積をできるだけ大きく確保することが好ましいが、少なくとも、バイブレータをスムーズに通し得る程度の太さは必要である。
【００１５】
また、前記構成においては、前記中空型枠本体の上部透孔に、この上部透孔を塞ぐ取り外し自在の蓋板を設けるのが好ましい。
【００１６】
この上部透孔を開口したままの状態とすると、作業の際に、作業者が、前記上部透孔を避けながら中空型枠上を歩かなければならず、作業上面倒なことが多い。そこで、前記蓋板を設けると、作業者が、前記上部透孔を気にすることなく中空型枠上を歩くことができ、作業効率の向上が期待できる。
【００１７】
この上部透孔から、前記管状体にバイブレータを通す際は、前記蓋板を取り外せば（又は開ければ）よい。この蓋板を透明アクリル樹脂等の透明素材で構成すれば、コンクリートの盛り上がりの確認を、前記蓋板を取り外すことなく行うことができるため、利便性が高い。
【００１８】
また、前記各構成においては、前記中空型枠本体を、帯状の鋼板を螺旋状に巻き、前記帯状の鋼板の一方の側端部に形成した連結機構と、他方の側端部に形成した連結機構とを連結して円筒状としたスパイラル鋼管とするのが好ましい。
【００１９】
このスパイラル鋼管は、鋼板の巻径を変えることにより、任意の直径の中空型枠本体を自在に製造することができる。また、前記連結機構は、それ以外の場所と比べて通常は肉厚となっており、この中空型枠の剛性も確保できる。
【００２０】
前記管状体をスパイラル鋼管とすることもできる。この管状体も、その中に通すバイブレータの大きさ等によって、種々の直径のものが要求され、スパイラル鋼管とすれば、容易にその要求に対応できるためである。また、この管状体の剛性が高まり、中空型枠本体の補強部材としての役目も果たすことができる。
【００２１】
前記連結機構として、例えば、前記側端部に断面Ｌ字形のハゼ部と、断面Ｕ字形のハゼ部をそれぞれ形成して、このハゼ部を互いに嵌め込み、かしめて一体にする構成を採用できる。また、側端部同士を溶接して連結する構成とすることもできる。勿論、連結機構はこれらに限定されず、公用の連結機構を適宜採用することができる。
【００２２】
また、前記スパイラル鋼管を用いる構成においては、前記帯状の鋼板に、その長手方向に沿ったリブを形成するのが好ましい。このリブを形成することで、前記中空型枠本体の剛性（特に、中空型枠を横向きに設置した状態における上下方向の剛性）をさらに向上させることができる。このため、コンクリートの打設に起因する中空型枠本体の変形を一層防止することができる。
【００２３】
上述した各中空型枠は、コンクリートの打設によって、コンクリート床板等のコンクリート構造体の内部に埋設された状態となる。このように中空型枠を埋設することによって、コンクリート構造体の軽量化を図ることができ、これを使用した建物等にかかる負担を軽減することができる。
【００２４】
前記コンクリート構造体は、コンクリート打設用の型枠内の所定位置に、前記中空型枠を、一方の透孔が中空型枠本体の上部、他方の透孔が下部になるよう固定した後に、バイブレータを、前記中空型枠本体上部の上部透孔から、前記中空型枠本体の下側に送り込み、前記型枠内へのコンクリート打設時に、バイブレータで加振することによって製造される。
【００２５】
このコンクリート構造体の製造においては、前記コンクリートの打設を行いつつ、前記上部透孔を覗き込み、前記コンクリートの、下部透孔からの盛り上がりが確認できない場合に、前記バイブレータによる加振を行うのがより好ましい。
【００２６】
このように、コンクリートの充填状況を確認しながら打設作業を行うことにより、充填不良が生じたときにのみ加振を行うようにすることができ、この加振作業に伴うコストの削減を図ることができる。
【発明の効果】
【００２７】
この発明は、中空型枠の中空型枠本体の上下部に透孔を形成し、バイブレータを前記透孔に通して、中空型枠本体の下側に直接送り込み得るようにした。この送り込みは、例えば中空型枠を回避するようにして送り込む場合と比較して非常に容易であり、コンクリートの加振作業を簡便かつ確実に行うことができる。
【００２８】
また、前記管状体を通して、前記中空型枠下側におけるコンクリートの充填状況が目視で直接確認できるため、バイブレータによる加振が必要かどうかを容易に判断することができる。そして、この加振作業を必要な場合にのみ行うことにより、その作業コストの低減につなげることができる。
【図面の簡単な説明】
【００２９】
【図１】この発明に係る中空型枠の一実施形態を示し、（ａ）は側面図、（ｂ）は平面図
【図２】図１に示す中空型枠の側壁を外した状態の斜視図
【図３】スパイラル鋼管の連結部を示す断面図
【図４】中空型枠本体への管状体の取り付けを示す断面図であって、（ａ）は取り付け前、（ｂ）は取り付け後
【図５】コンクリート構造体の製造手順を示す断面図であって、（ａ）はコンクリート打設用型枠内に中空型枠を固定した状態、（ｂ）はバイブレータで振動を加えつつコンクリートを打設している状態
【発明を実施するための形態】
【００３０】
この発明に係る中空型枠１の実施形態を図１及び２に示す。この中空型枠１は、コンクリート打設用型枠内の所定位置に固定されて、この型枠内にコンクリートを打設することによって形成するコンクリート構造体の前記所定位置に空洞部を形成するためのものである。
【００３１】
この中空型枠１は、中空型枠本体２と、この中空型枠１の内側に設けられる管状体３と、この管状体３を中空型枠本体２に固定する係止部材４とを、中空型枠１のほぼ中央部に備えている。
【００３２】
中空型枠本体２は、一枚の帯状の鋼板を螺旋状に巻いて、この鋼板の長手方向端部同士を連結して連結部５とした、円筒状のスパイラル鋼管である。この連結は、図３に示すように、前記端部にそれぞれ形成された断面Ｌ字形のハゼ部６ａと、断面Ｕ字形のハゼ部６ｂとを互いに嵌め込んだ後に、かしめることによってなされる。この連結部５にはコーキング層７が形成され（図３を参照）、コンクリートの打設の際に、このコンクリートが連結部５の隙間から中空型枠内部に入り込むのを防いでいる。かしめただけで所定の液密状態が確保できるのであれば、このコーキング層７は省略することもできる。
【００３３】
この連結部５は、両ハゼ部６ａ、６ｂの重なり合いの分だけそれ以外の場所と比較して肉厚となっており（図３を参照）、強度が高い。しかも、この連結部５が、中空型枠本体２の一端側から他端側まで、その外周面を取り巻くように螺旋状に形成されているため、この外周面に、いずれの方向から外力が作用しても高い剛性を発揮する。なお、この連結部５を、両ハゼ部６ａ、６ｂをかしめて構成する代わりに、端部同士を溶接する等、他の連結手段で構成してもよい。
【００３４】
この帯状の鋼板には、溝状のリブ８がその長手方向に平行に２本形成されており、このリブ８で中空型枠本体２の剛性を一層高めている。このリブ８の本数は、勿論２本に限定されず、鋼板の幅や要求される強度によって適宜増減することができる。また、リブ８の溝形状についても適宜変更することができる。この鋼板の厚さを厚くする等により、中空型枠本体２の剛性が十分確保できるのであれば、リブ８を形成する必要はない。
【００３５】
中空型枠本体２の左右両端は、側壁９によって閉塞されている。この中空型枠本体２と側壁９の間の隙間にはコーキング層７が形成され、コンクリートの打設の際に、この隙間から中空型枠１内にこのコンクリートが流れ込まないようにしている。
【００３６】
中空型枠本体２の外周面には、その上部と下部に、対向する一対の透孔（上部透孔１０ａ、下部透孔１０ｂ）が形成されている。両透孔１０ａ、１０ｂの内径は、後述する係止部材４の短管部１１の外径とほぼ同じである。
【００３７】
管状体３は、中空型枠１と同様に、一枚の帯状の鋼板を螺旋状に巻いて、この鋼板の長手方向端部同士を連結部５において連結したスパイラル鋼管である。この連結部５は、上述したように、ハゼ部６ａ、６ｂ同士をかしめたものである。その軸方向長さは、中空型枠本体２の直径よりもわずかに短い。この管状体３の直径は、少なくともバイブレータを通すための大きさが必要ではあるが、コンクリート構造体の軽量化の観点からは、できるだけその直径を小さくして、中空型枠１内部の空洞部を確保するのが好ましい。
【００３８】
係止部材４は、図４（ａ）に示すように、円筒状の短管部１１と、中空型枠本体２の外周面に沿う曲率を有する板状の係止部１２とを備えている。係止部１２のほぼ中央には、短管部１１の内径とほぼ同じ直径の連通孔１３が形成され、短管部１１の一端が係止部１２に突き当てられて溶接で固定される。この溶接部の液密性を一層向上するために、係止部の表面側にコーキング層を形成してもよい。
【００３９】
あるいは、係止部１２のほぼ中央に形成された、短管部１１の外径とほぼ同じ大きさの連通孔１３に、この短管部１１の一端を挿し込み、この短管部１１と係止部１２を溶接して固定することもできる。いずれの固定態様とするかは、適宜選択することが可能である。
【００４０】
この係止部材４を用いた、中空型枠本体２への管状体３の取り付けを図４（ａ）及び（ｂ）に基づいて説明する。係止部材４の短管部１１を中空型枠本体２の上部透孔１０ａに通し、この短管部１１に、予め中空型枠本体２内に設けた管状体３の一端を同軸に挿し込む（図４（ａ）を参照）。次に、この管状体３の他端に、下部透孔１０ｂを通した係止部材４の短管部１１をこの管状体３と同軸に挿し込む。この二つの係止部材４、４のうち、中空型枠１をコンクリート打設用の型枠に設けた際に、上部透孔１０ａ側に設ける係止部材４には、上部透孔１０ａを塞ぐ透明アクリル樹脂材からなる蓋板１４が、取り外し自在に設けられている。
【００４１】
この蓋板１４を設けると、作業の際に、作業者が上部透孔１０ａを避けながら中空型枠１上を歩かなくてもよいので、作業性が向上する。しかも、この蓋板１４を透明板としたので、蓋板１４を通して充填状況を確認しながら、コンクリートの打設作業を行うことができる。なお、前記充填時に蓋板１４を取り外して確認するのであれば、この蓋板１４を必ずしも透明板とする必要はない。
【００４２】
蓋板１４は、作業効率の向上を主目的として設けるものであって、この蓋板１４を設けなくても、管状体３にバイブレータを通すという本願発明本来の目的には何ら影響はない。
【００４３】
係止部材４の短管部１１を管状体３の両端に挿し込んだ後に、係止部材４の係止部１２を、中空型枠本体２の外周部に形成したビス孔１５にビス１６で固定する。さらに、係止部１２と中空型枠本体２の外周部との間にコーキング層７を形成して、両者の間の隙間を塞ぎ、液密状態を確保する。
【００４４】
ビス１６の代わりに、溶接や接着剤等を用いて、係止部１２と中空型枠本体２の外周部を固定してもよい。この場合も、コーキング層７を形成して前記液密状態を確保するのが好ましい。
【００４５】
この管状体３の長さは中空型枠本体２の内径よりも若干短く、管状体３と短管部１１が互いに抜けない範囲において、相対的に軸方向に自由にスライドし得る。このとき、管状体３が抜けさえしなければ、バイブレータを通すという管状体本来の機能は発揮できる。
【００４６】
この管状体３と短管部１１を溶接等で一体化すれば、軸方向に相対的にスライド不能となる。この場合、一体化した管状体３と短管部１１が柱として機能し、中空型枠本体２をその内側から安定的に支持する。このため、コンクリートの打設の際に、中空型枠１に管状体３の軸方向の外力が作用しても、この中空型枠１の変形を極力防ぐことができる。
【００４７】
管状体３と短管部１１を一体化する手段としては、両者をボルト等の連結手段を用いて連結することも考えられるが、その際に、この連結手段が短管部１１の内面側に突出しないようにするのが好ましい。この内面側に突起物があると、バイブレータを送り込む際に、バイブレータが突起物に引っ掛かって、その作業のスムーズ性が損なわれることがあるためである。
【００４８】
上記の実施形態では、中空型枠本体２のほぼ中央部に、管状体３を一本設けたが、必要に応じてこの管状体３の数を増やしたり、管状体３を設ける位置を変更したりしてもよい。
【００４９】
この中空型枠を用いたコンクリート構造体（コンクリート床板）の製造工程の概略を図５（ａ）及び（ｂ）に示す。
【００５０】
まず、コンクリートＣを流し込んでコンクリート構造体を成形するための型枠１７を用意し、この型枠１７内の所定の位置に鉄筋（図示せず）を配筋する。次に、この型枠１７の底面に中空型枠１を設置する受け台１８を固定する。さらに、上述の中空型枠１を、この受け台１８に載置して保持する。このとき、中空型枠１は、受け台１８によって型枠１７の底面から数ｃｍから１０数ｃｍ程度浮かせた状態となっている（図５（ａ）を参照）。
【００５１】
管状体３は、その軸心が垂直方向を向いており、この管状体３の上端部には蓋板１４が設けられている。
【００５２】
このように、型枠１７内に受け台１８を設ける代わりに、例えば、型枠１７上部に懸架させたワイヤ等の支持部材によって中空型枠１を固定して、型枠１７内の所定位置に、この中空型枠１が保持されるようにしてもよい。
【００５３】
この中空型枠１を所定位置に設けた後に、型枠１７内にコンクリートＣを打設する。この打設の際に、上部透孔１０ａに設けた蓋板１４を通して、あるいはこの蓋板１４を取り外して、中空型枠１の真下にコンクリートＣが十分回り込んでいるか（下部透孔１０ｂから管状体３内にコンクリートが盛り上がっているか）について、目視により確認する（図５（ｂ）中の下向き矢印を参照）。コンクリートＣがこの下部透孔１０ｂまで十分回り込んでいない場合は、蓋板１４を取り外して、管状体３を通して中空型枠１の下側までバイブレータＶを挿し込み、コンクリートＣに振動を加える。
【００５４】
この加振によりコンクリートＣの流動性が高まるため、コンクリートＣの充填を速やかになし得る。コンクリートＣが、下部透孔１０ｂから全く確認できない場合は、中空型枠１の真下の型枠底面に直接バイブレータＶを当てて、この底面を加振することにより、コンクリートＣの流動促進が期待できる。
【００５５】
このバイブレータＶによる加振は、目視によってコンクリートＣが十分に回り込んでいることが確認できた場合は、省略してもよい。反対に、十分な回り込みが確認できた場合でも、追加的に加振することもできる。バイブレータで追加的に加振することによって、コンクリートＣ中に残留している余分な気泡が排除されてその充填密度がより高まり、コンクリート構造体の強度向上が期待できるためである。
【００５６】
コンクリート構造体が所定の形状となるまでコンクリートＣを打設したら、バイブレータＶを引き抜く。そして、コンクリートＣが硬化するのを待って型枠１７を外し、コンクリート構造体を完成する。
【００５７】
なお、この製造工程においては、コンクリート構造体に一つの中空型枠１を用いた例について説明したが、コンクリート構造体の形状によっては、複数の中空型枠１を型枠１７内に設ける構成としてもよい。
【００５８】
また、上記の各実施形態では、中空型枠本体２としてスパイラル鋼管を用いて中空型枠１を構成したが、コンクリート構造体の内部に空洞部を形成できるのであれば、勿論これに限定されず、例えば直方体状の箱体に管状体３を設けて中空型枠１を構成することもできる。
【符号の説明】
【００５９】
１  中空型枠
２  中空型枠本体
３  管状体
４  係止部材
５  連結部
６（６ａ、６ｂ）  連結機構（ハゼ部）
７  コーキング層
８  リブ
９  側壁
１０  透孔
１０ａ  上部透孔
１０ｂ  下部透孔
１１  短管部
１２  係止部
１３  連通孔
１４  蓋板
１５  ビス孔
１６  ビス
１７  型枠
１８  受け台
Ｃ  コンクリート
Ｖ  バイブレータ
【図１】
0005425743.tif 000002
【図２】
0005425743.tif 000003
【図３】
0005425743.tif 000004
【図４】
0005425743.tif 000005
【図５】
0005425743.tif 000006